(57)【特許請求の範囲】
【請求項１】
図書館の複数の電動式移動棚に収納された各図書の収納棚列・棚段固有管理番号および図書固有管理番号並びに書誌情報を記録して蓄積した図書管理システムを備え、利用者が前記図書管理システムにより、所望する図書の書誌情報を入力して検索し、該所望する図書を収納した棚列・棚段管理固有番号および図書固有管理番号の登録情報を変換して保存したマトリックス型二次元コードまたはバーコードと、所望する図書の書誌情報とを表示した取出し指示票をプリントアウトし、あるいは前記マトリックス型二次元コードまたはバーコードと、所望する図書の書誌情報とをモバイル端末で保存し、該取出し指示票またはモバイル端末で保存されたマトリックス型二次元コードまたはバーコードを、前記移動棚に設置されたリーダーで読み取り、その情報が前記移動棚に設置されたタッチパネル式ディスプレイ装置に表示され、利用者が該タッチパネル式ディスプレイ装置に表示された情報が所望の図書のものと同一であることも確認して、前記タッチパネル式ディスプレイ装置のタッチパネルスイッチにタッチすると、移動棚制御システムの指令信号により、所望の図書が収納されている移動棚を移動させて所望の通路を開放できるようにしたことを特徴とするマトリックス型二次元コードまたはバーコードを使用する図書館における電動式移動棚装置。
【発明の詳細な説明】
【技術分野】
【０００１】
本発明は、図書館において、図書を収納する電動式移動棚装置に関し、より詳細には、マトリックス型二次元コードまたはバーコードを使用することにより、電動式移動棚装置に収納された図書の管理および出納作業が効率よくできる図書館における電動式移動棚装置に関するものである。
【背景技術】
【０００２】
従来、図書館は膨大な図書を有し、その図書を保管するために、保管効率を高める目的から複数の電動式移動棚を利用して図書を保管している。一方、膨大な図書類を管理するため図書館では、各図書の情報をデータベース化し管理する図書管理システムが構築され、各図書は予め決められた分類方式に従ってデータベース化し、管理、保管されている。そして、これらの図書類を移動棚より取り出すためには、前記図書管理システムを利用して、目的の図書の検索を行い、保管されている場所を検索し、保管されている移動棚を所定の位置に移動して、目的の図書を取り出し、または収納していた。
【０００３】
一方、マトリックス型二次元コードまたはバーコードを使用する図書館における電動式移動棚装置に関し、過去の特許文献を遡及検索したが、同一の技術思想の電動式移動棚装置は１件も開示されていなかった。単に、下記の特許文献１に示すようなタッチパネル式ディスプレイ装置が開示されているに過ぎない。前記特許文献１に示すシステムは、ＲＦＩＤタグ付き本を収納し、該ＲＦＩＤタグに記録されたタグ情報を認識するためのＲＦＩＤリーダーを備える複数の棚と、該複数の棚のうち少なくとも１つを移動させる移動手段と、前記本が前記棚に入出及び収納されることを管理するサーバーを通じたユーザーの指令によって前記移動手段を制御して、前記棚のそれぞれの離間距離を調節する制御部を備えて形成されている。
【先行技術文献】
【特許文献】
【０００４】
【特許文献１】特開２０１２−１０６８５６号公報
【発明の概要】
【発明が解決しようとする課題】
【０００５】
前記従来の図書館における複数の電動式移動棚を利用する図書管理システムでは、図書の保管数量の増加に伴い、保管設備としての移動棚も増加し、このため図書の保管場所が日常的、頻繁に変わると共に、不特定多数の利用者に開放し、利用頻度も増加しており、利用者が目的の図書を検索し、保管されている棚より取り出す場合、図書を検索しても保管されている棚を特定することが出来ないケースが増え、容易に図書を取り出し、または収納することができなくなるという課題があった。
【０００６】
更に、前記特許文献１記載の発明においては、タッチパネル式ディスプレイ装置のタッチパネルスイッチにタッチして、移動棚の運転操作により、所望の図書が収納されている図書の移動棚が自動運転されて出納作業用通路が形成されるので、利用者はいちいち目的の棚を目視で探す必要はなく、迅速に、然も正確に所望の図書を取り出し、または収納することができる。しかしながら、前記特許文献１記載の発明においては、一旦取り出した図書を元の棚に収納する場合、または時間をおいて、あるいは異なった日に前記と同一の図書を取り出す場合、最初からコンピュータによる図書の検索をやり直す必要があり、極めて面倒であるという課題があった。
【０００７】
本発明は、前記課題を解決すべくなされたものであって、利用者が図書管理システムにより、所望する図書の書誌情報を入力して検索し、該所望する図書を収納した棚列・棚段管理固有番号および図書固有管理番号の登録情報を変換して保存したマトリックス型二次元コードまたはバーコードと、所望する図書の書誌情報を表示した取出し指示票とをプリントアウトし、あるいは前記マトリックス型二次元コードまたはバーコードと所望する図書の書誌情報とをモバイル端末で保存し、該取出し指示票またはモバイル端末で保存されたマトリックス型二次元コードまたはバーコードを、前記移動棚に設置されたリーダーで読み取り、その登録情報がタッチパネル式ディスプレイ装置に表示され、利用者が該タッチパネル式ディスプレイ装置に表示された登録情報が所望の図書のものと同一であることも確認して、タッチパネルスイッチにタッチすると、移動棚制御システムの指令信号により、所望の図書が収納されている移動棚を移動させて所望の通路を開放できるようにする一方、一旦取り出した図書を元の棚に収納する場合、または時間をおいて、あるいは異なった日に前記同一の図書を取り出す場合も、いちいち図書管理システムにより所望する図書を新たに検索することなく、前記一旦プリントアウトした取出した指示票、あるいはモバイル端末で保存した情報を再度使用することにより、極めて迅速に図書の出納作業ができるようにしたマトリックス型二次元コードまたはバーコードを使用する図書館用電動式移動棚装置を提供しようとするものである。
【課題を解決するための手段】
【０００８】
本発明は、図書館の複数の電動式移動棚に収納された各図書の収納棚列・棚段固有管理番号および図書固有管理番号並びに書誌情報を記録して蓄積した図書管理システムを備え、利用者が前記図書管理システムにより、所望する図書の書誌情報を入力して検索し、該所望する図書を収納した棚列・棚段管理固有番号および図書固有管理番号の登録情報を変換して保存したマトリックス型二次元コードまたはバーコードと、所望する図書の書誌情報とを表示した取出し指示票をプリントアウトし、あるいは前記マトリックス型二次元コードまたはバーコードと、所望する図書の書誌情報とをモバイル端末で保存し、該取出し指示票のマトリックス型二次元コードまたはバーコード、またはモバイル端末で保存されたマトリックス型二次元コードまたはバーコードを、前記移動棚に設置されたリーダーで読み取り、その情報が前記移動棚に設置されたタッチパネル式ディスプレイ装置に表示され、利用者が該タッチパネル式ディスプレイ装置に表示された情報が所望の図書のものと同一であることも確認して、前記タッチパネル式ディスプレイ装置のタッチパネルスイッチにタッチすると、移動棚制御システムの指令信号により、所望の図書が収納されている移動棚を移動させて所望の通路を開放できるよう形成するという手段を採用することにより、上記課題を解決した。
【発明の効果】
【０００９】
前記構成より成る本発明によれば、利用者が図書管理システムにより、所望する図書の書誌情報を入力して検索し、該所望する図書を収納した棚列・棚段管理固有番号および図書固有管理番号の登録情報を変換して保存したマトリックス型二次元コードまたはバーコードと、所望する図書の書誌情報とを表示した取出し指示票をプリントアウトし、あるいは前記マトリックス型二次元コードまたはバーコードと、所望する図書の書誌情報とをモバイル端末で保存し、該取出し指示票のマトリックス型二次元コードまたはバーコード、またはモバイル端末で保存されたマトリックス型二次元コードまたはバーコードを、前記移動棚に設置されたリーダーで読み取り、その情報が前記移動棚に設置されたタッチパネル式ディスプレイ装置に表示され、利用者が該タッチパネル式ディスプレイ装置に表示された情報が所望の図書のものと同一であることも確認して、タッチパネルスイッチにタッチすると、移動棚制御システムの指令信号により、所望の図書が収納されている移動棚を移動させて所望の通路を開放できると共に、一旦取り出した図書を元の棚に収納する場合、または時間をおいて、あるいは異なった日に前記同一の図書を取り出す場合も、いちいち図書管理システムにより所望する図書を検索することなく、前記一旦プリントアウトした取出した指示票、またはモバイル端末を再度使用することにより、極めて迅速に図書の出納作業ができるという優れた効果を奏することができる。
【図面の簡単な説明】
【００１０】
【図１】本発明マトリックス型二次元コードまたはバーコードを使用する図書館における電動式移動棚装置の概略説明図である。
【図２】本発明マトリックス型二次元コードまたはバーコードを使用する図書館における電動式移動棚装置における棚と図書およびハンディターミナルタイプバーコードリーダーとの関係を示す斜視図である。
【実施例】
【００１１】
本発明マトリックス型二次元コードまたはバーコードを使用する図書館用電動式移動棚装置における電動式移動棚装置は、特に限定する必要はないが、好ましくは、図１に示すような電動式移動棚装置を使用することが推奨される。すなわち、図１に示すように、電動式移動棚装置Ｔは、床上に敷設されたレールＲ上に移動棚Ａ〜Ｅがそれぞれ所定の配列方向に沿って配置されると共に、前記各移動棚Ａ〜Ｅが所定の配列方向に沿って前記レールＲ上を走行車輪Ｗを介して左右方向に移動可能に配置されている。
【００１２】
前記各移動棚Ａ〜Ｅのうち、両端の移動棚Ａ・Ｅは固定棚であってもよく、また壁面であってもよい。本発明の実施例においては、説明の都合上、すべてが移動棚として説明する。
【００１３】
前記各移動棚Ａ〜Ｅ間には、それぞれ相隣る移動棚間に通路１１〜１４が形成でき、図１においては、前記移動棚Ａ・Ｂ・Ｃをそれぞれ左側に移動させて密集すると共に、前記移動棚Ｄ・Ｅを右側に移動させて、通路１３部分を最大限に広く開けて取り出す作業用通路として、図書を取り出す作業が円滑に行われるよう形成されている。
【００１４】
前記各移動棚Ａ〜Ｅの下部には、それぞれ自走用の可逆モータＭ１〜Ｍ５が取付けられていて、それぞれ各移動棚Ａ〜Ｅの底部に軸装された走行車輪Ｗを回転させてレールＲ上を走行する。
【００１５】
また、前記各移動棚Ａ〜Ｅに収納される各図書１５には、図書を管理するために付与された固有の登録番号を記録した図書管理固有バーコード１６が取付けられていると共に、前記各移動棚Ａ〜Ｅにおいて、前記各図書を収納する各棚板１７には、該各移動棚Ａ〜Ｅの棚列・棚段を管理するための固有の登録番号を記録した棚列・棚段管理固有バーコード１８がそれぞれ取付けられている。なお、図２においては、図書管理固有バーコード１６および棚列・棚段管理固有バーコード１８が使用されているが、該バーコード１６・１８に代えて、ＲＦＩＤタグを使用してもよい。
【００１６】
そして、本発明においては、図書１５が収納されている各移動棚Ａ〜Ｅの棚板１７の棚列・棚段管理固有バーコード１８をハンディターミナルタイプバーコードリーダー１９で読み取り、その後前記収納保管する図書１５の図書管理固有バーコード１６を前記ハンディターミナルタイプバーコードリーダー１９で読み込んで、該図書１５を収納する棚列および棚段を特定しておく必要がある。なお、新しい図書１５を前記各移動棚Ａ〜Ｅのいずれかの棚板１７に収納保管する度毎に前記各読み込み作業を繰返すことになる。
【００１７】
前記棚列・棚段管理固有バーコード１８および図書管理固有バーコード１６の読み込み作業が完了すると、図書管理者は前記棚列・棚段管理固有バーコード１８および図書管理固有バーコード１６を読み込んだ前記ハンディターミナルタイプバーコードリーダー１９を有線または無線により移動棚管理パソコン２０に接続して、該ハンディターミナルタイプバーコードリーダー１９に読み込まれた棚列・棚段管理固有番号および図書管理固有番号を前記移動棚管理パソコン２０に登録した後、該移動棚管理パソコン２０から前記登録情報を業務用管理サーバ２１に転送して登録し、更に、予め図書の図書名・著者名および分類番号等の書誌情報を登録した図書管理システム２２の登録情報と前記業務用管理サーバ２１の登録情報とを該業務管理サーバ２１でリンクさせて、該リンクして得られた新たな登録情報を前記図書管理システム２２に登録して、図書情報の登録作業が完了する。
【００１８】
前記登録情報を前記図書管理システム２２に前記登録情報が登録されることが、本発明の前提条件となる。すなわち、前記図書情報の登録が完了した後、図書利用者は、前記図書管理システム２２において、所望する図書に関する所定の図書情報を入力して図書の検索をして、前記図書管理システム２２に棚列・棚段管理固有番号および図書固有管理番号の登録情報を変換して登録されたマトリックス型二次元コード２３（一般には、「ＱＲコード（登録商標）」）と呼ばれている）またはバーコード（図においては、マトリックス型二次元コードが表示されており、バーコードは図示を省略する）と、前記図書管理システム２２に登録された書誌情報とを表示してプリンター２４で取出し指示票２５としてプリントアウトすることができるよう形成されている。
【００１９】
また、図示していないが、図書館において、前記図書管理システム２２に記録された前記書誌情報が広くウェブサイトで公開されている場合は、利用者はインターネット機能を備えたモバイル端末を使用して、前記図書管理システム２２にアクセスして検索し、選択した図書に関するマトリックス型二次元コードまたはバーコードと書誌情報とを、前記モバイル端末に取り込んで保存することができる。
【００２０】
なお、本発明においては、前記のように、マトリックス型二次元コードおよびバーコードの両者とも採用している。バーコードは横方向にしか情報を持たないのに対し、マトリックス型二次元コードは縦横に情報を持つ。そのため、格納できる情報量が多く、数字だけでなく英字や漢字等の多言語のデータも格納できる。しかしながら、本発明においては、前記マトリックス型二次元コードまたはバーコードに格納する情報としては、電動式移動棚に収納された各図書の収納棚列・棚段固有管理番号および各図書の固有管理番号の数字を格納するだけであるので、マトリックス型二次元コードおよびバーコードのいずれも採用することができる。
【００２１】
一方、前記各移動棚Ａ〜Ｅのいずれかの正面板２６には、前記プリントアウトした取出し指示票２５のマトリックス型二次元コード２３またはバーコード、あるいはモバイル端末に表示されたマトリックス型二次元コードまたはバーコードをかざして、該取出し指示票２５またはモバイル端末に表示されたマトリックス型二次元コードまたはバーコードを読み込むリーダー２７が設置されると共に、前記リーダー２７で読み込まれた前記マトリックス型二次元コード２３またはバーコードに記録された情報を表示するタッチパネル式ディスプレイ装置２８が前記正面板２６に設置されている。また、前記タッチパネル式ディスプレイ装置２８は移動棚制御システム２９とケーブル等により接続されている。
【００２２】
そして、利用者が前記マトリックス型二次元コード２３またはバーコードに基づき、所望の図書１５を移動棚より取り出すためには、該所望の図書１５を収納した移動棚を探し、所定の移動棚より取り出す必要があるが、前記各移動棚Ａ〜Ｅは前記移動棚管理パソコン２０により集中的に管理されており、前記移動棚制御システム２９の制御により、前記各移動棚Ａ〜Ｅのうち所定の移動棚を移動させて、所望の図書１５を取り出すための作業用通路を形成することができる。
【００２３】
前記構成より電動式移動棚装置の作用について説明する。利用者は図書管理システム２２を用いて所望する図書を検索して、選択した図書の棚列および棚段番号および図書管理固有番号をマトリックス型二次元コード２３またはバーコードとして表示すると共に、その他の書誌情報をも前記図書管理システム２２に表示させ、該マトリックス型二次元コード２３またはバーコードと書誌情報をプリンター２４で取出し指示票２５としてプリントアウト、または前記マトリックス型二次元コード２３またはバーコードと書誌情報をモバイル端末に保存する。
【００２４】
前記マトリックス型二次元コード２３またはバーコードとその他の書誌情報をプリンター２４で取出し指示票２５としてプリントアウトし、またモバイル端末に保存した後、利用者は該取出し指示票２５またはモバイル端末に保存されたマトリックス型二次元コード２３またはバーコードをリーダー２７にかざして、該マトリックス型二次元コード２３またはバーコードに記録された情報およびその他の書誌情報をタッチパネル式ディスプレイ装置２８に表示させ、前記タッチパネル式ディスプレイ装置２８に表示された情報が、利用者の所望する図書の情報と一致するものであれば、前記タッチパネル式ディスプレイ装置２８のタッチパネルスイッチにタッチして、前記移動棚制御システム２９を介して移動棚移動指令を発する。
【００２５】
そして、利用者が前記タッチパネル式ディスプレイ装置２８のタッチパネルスイッチにタッチして、移動棚移動指令を発すると、移動棚制御システム２９により移動棚は自動運転されて、図書１５の取り出し、または収納が可能なように作業用通路が形成される。これにより、利用者は通路内に進入し、所望の図書１５を取り出し、または収納することができる。
【００２６】
なお、前記取出し指示票２５またはモバイル端末に表示されたマトリックス型二次元コード２３またはバーコードを、図書１５の取り出し後も保管しておくことにより、一旦取り出した図書１５を元の棚に収納する場合、または時間をおいて、あるいは異なった日に前記と同一の図書１５を取り出す場合も、取り出し、または収納する度ごとにいちいち図書管理システム２２により所望する図書１５を検索することなく、前記保管しているマトリックス型二次元コード２３またはバーコードを使用することにより、極めて迅速に図書の出納ができるのである。
【００２７】
なお、図中、３０は、手動による運転操作スイッチで、移動棚は前記マトリックス型二次元コード２３またはバーコードを使用しなくても、該運転操作スイッチ３０によって前記移動棚制御システム２９を介して運転できるよう構成されている。
【符号の説明】
【００２８】
Ｔ  電動式移動棚装置
Ａ〜Ｅ  移動棚
Ｍ１〜Ｍ５  可逆モータ
Ｗ  走行車輪
Ｒ  レール
１１〜１４  通路
１５  図書
１６  図書管理固有バーコード
１７  棚板
１８  棚列・棚段管理固有バーコード
１９  ハンディターミナルタイプバーコードリーダー
２０  移動棚管理パソコン
２１  業務用管理サーバ
２２  図書管理システム
２３  マトリックス型二次元コード
２４  プリンター
２５  取出し指示票
２６  正面板
２７  リーダー
２８  タッチパネル式ディスプレイ装置
２９  移動棚制御システム
３０  運転操作スイッチ
【要約】      （修正有）【課題】マトリックス型二次元コードを使用することにより、図書館における電動式移動棚装置に収納された図書の管理および出納作業が効率よくできる。【解決手段】利用者が図書管理システム２２により、所望する図書を検索して、該図書の収納棚列・棚段固有管理番号および図書固有管理番号の登録情報をマトリックス型二次元コード２３で表示すると共に、前記図書の書誌情報を表示した取出し指示票２５をプリントアウトし、該取出し指示票２５に表示されたマトリックス型二次元コード２３を前記移動棚に設置されたリーダー２７で読み取り、その情報が前記移動棚に設置されたタッチパネル式ディスプレイ装置２８に表示され、タッチパネルスイッチにタッチすると、移動棚制御システム２９の指令信号により、所望の図書が収納されている移動棚を移動させる。【選択図】図１【図１】
0005458164.tif 000002
【図２】
0005458164.tif 000003